【事件の表示】
　平成　９年特許願第　５４９１４号「点滴セット」拒絶査定不服審判事件〔平成１０年　９月２２日出願公開、特開平１０−２４８９３８号〕について、次のとおり審決する。
【結　論】
　本件審判の請求は、成り立たない。
【理　由】
１．手続の経緯 
　本願は、平成９年３月１０日の出願であって、平成１７年６月７日付けで拒絶査定がなされ、平成１７年７月１２日に拒絶査定不服審判の請求がなされたものである。 
　 
２．本願発明
　本願の請求項１に係る発明（以下、「本願発明」という。）は、平成１５年１０月９日付け手続補正書により補正された特許請求の範囲の請求項１に記載された事項により特定される、以下のとおりのものである。 
「内面がルアーテーパー状に形成され、端部外周に突条部が設けられた円筒形状のロックアダプターからなる開口部を有する、ツイストオフ式の閉塞構造を備えたプラスチックボトルと、
外面が前記ロックアダプターの内面に嵌合されるように形成された連通パイプの外側の内壁に雌ネジが形成された回動自在のキャップが被着された接続部がチューブの一端に設けられた点滴用連結管
とからなる点滴セットであって、
前記点滴用連結管が、当該点滴用連結管を挿通するカプラを備え、
当該カプラの内面に雌ネジが刻設され、
前記プラスチックボトル開口部の突条部と当該カプラの雌ネジとが螺合し、
前記連結管の外周面に突出部が形成され、当該カプラの一端が該突出部に係止されてなる点滴セット。」 
　 
３．引用刊行物 
　原査定の拒絶の理由に引用された、本願の出願前に日本国内に頒布された刊行物である実願昭６３−１７００３５号出願（実開平２−８８６６４号公報）のマイクロフィルム（以下、「引用刊行物１」という。）には、図面とともに、以下の事項が記載されている。 
ア．「輸液容器の結合部に輸液導管部が結合され、この輸液導管部を経て前記輸液容器内の輸液が導出される医療用輸液装置において、前記輸液容器内を密封する閉塞部材が前記結合部に設けられ、前記結合部に嵌合して結合されるべきキャップ部材に設けられた貫通孔に前記輸液導管部が挿通、保持され、前記結合時に前記輸液導管部が前記閉塞部材を突き破ることにより前記輸液容器内と前記輸液導管部とが導通可能となり、かつ、前記結合状態で前記輸液導管部及び前記キャップ部材の少なくとも一方と前記結合部とが液密に密着されるように構成されていることを特徴とする医療用輸液装置。」（実用新案登録請求の範囲の請求項１） 
イ．「本考案は、医療用輸液装置及びこれに使用される輸液容器に関する。」（明細書第２頁第５行〜６行） 
ウ．「本考案は、輸液容器（例えば輸液バッグ）と輸液導管との接続が確実であり、信頼性の高い医療用輸液装置及びこれに使用される輸液容器を提供することを目的としている。」（明細書第５頁第１３行〜１６行） 
エ．「輸液バッグ５はポリエチレン・・・等の合成樹脂のフィルムからなっていて・・・袋状に成形されている。・・・輸液導出部１の・・・外周面には雄ねじ１ｂが設けられている。輸液導出部１には、雄ねじ１ｂに螺合する雌ねじ２ｂを設けたキャップ２が取付けられる。キャップ２の蓋部２ｃには貫通孔２ａが設けられている。」（明細書第７頁第４行〜第８頁第２行）
オ．「第４図〜第６図は、輸液バッグにコネクタを介して輸液導管を接続する手順を示す。・・・輸液導管部３は、テーパを付した先端部３ａ、これに続く円筒部３ｂ、径大部３ｃ及び径小の導管接続部３ｄからなり、・・・第２図のキャップ２を輸液バッグ５から外し、第３図のようにコネクタ９Ａを組立てる。先ず輸液導管部３の導管接続部３ｄをキャップ２の貫通孔２ａに挿通し、導管接続部３ｄに第一の輸液導管１０を接続する。次に輸液導管部３の径大部３ｃ上にパッキン４を載置する。・・・更にキャップ２を回転させて締付けると、輸液導管部３は、その径大部３ｃがキャップ２の蓋部２ｃによって押され、・・・第一の輸液導管１０は輸液バッグ５に確実に取付けられる。」（明細書第８頁第４行〜第１０頁第１行）
カ．「以上の実施例では、雄ねじと雌ねじとの螺合によって輸液導出部とキャップとを固定させているが、両者の固定には、ねじによる螺合のほか、適宜の凹凸嵌合等の方法によって固定するようにもできる。輸液容器も、袋状のバッグのほか、瓶であっても良い。」（明細書第１９頁第５行〜１０行）
キ．図４及び図６には、円筒部３ｂが輸液導出部１の内面に離間して挿入される点、キャップ２の内面に雌ねじ２ｂが刻設された点、及びキャップ２は輸液導管部３及び第一の輸液導管１０を挿通した点が図示されている。
　また、輸液容器と輸液導管部及び第一の輸液導管とからなるものを、便宜上「輸液セット」と呼ぶものとする。
　
　以上の記載事項及び図示内容を総合すると、上記引用刊行物１には、以下の発明（以下、「引用発明」という。）が記載されている。 
「外周面に雄ねじが設けられた輸液導出部を有する合成樹脂からなる輸液容器と、
外面が輸液導出部の内面に離間して挿入されるように形成された円筒部を有し輸液導管部が第一の輸液導管に接続された輸液導管部及び第一の輸液導管とからなる輸液セットであって、
前記輸液導管部及び第一の輸液導管が、当該輸液導管部及び第一の輸液導管を挿通するキャップを備え、
当該キャップの内面に雌ねじが刻設され、
前記合成樹脂からなる輸液容器の輸液導出部の雄ねじと当該キャップの雌ねじとが螺合した輸液セット。」
　
　また、原査定の拒絶の理由に引用された、本願の出願前に日本国内に頒布された刊行物である実願昭５９−１６１１９号出願（実開昭６０−１２９９４１号公報）のマイクロフィルム（以下、「引用刊行物２」という。）には、図面とともに、以下の事項が記載されている。 
ク．「　技術分野
　本考案は、医療用器具に関する。
　　従来技術
　注射器と注射針、各種カテーテル、輸血セット、輸液セット、人工臓器等の医療用器具にあっては、めすテーパ部を備えてなるめす接合部と、上記めすテーパ部に接合可能なおすテーパ部を備えてなるおす接合部とを有してなるものが多用されている。」（明細書第２頁第１６行〜第３頁第４行）
ケ．「第１図は、めすテーパ部１Aを備えてなるめす接合部１の外周部にねじ部１Bを一体形成するとともに、おすテーパ部２Aを備えてなるおす接合部２の外周部にねじ部２Bを一体形成し、めすテーパ部１Ａとおすテーパ部２Ａとを接合するとともに、ねじ部１Ｂとねじ部２Ｂとを螺合することにより、めす接合部１とおす接合部２とを強く、高い信頼度で接続可能とする例を示している。」（明細書第３頁第５行〜１３行） 
コ．「第２図は、めすテーパ部３Ａを備えてなるめす接合部３の外周部に固定ねじ部３Ｂを一体形成した医療用器具に、おすテーパ部４Ａを備えてなるおす接合部４の外周部に、・・・・めす接合部３とおす接合部４とを接続可能とする例を示している。」（明細書第３頁第２０行〜第４頁第１１行）
サ．「また、本考案は、前記めすテーパ部とおすテーパ部とが、ルアーテーパ面を備えてなるようにしたものである。」（明細書第１５頁第７行〜９行）
　
　また、原査定の拒絶の理由に引用された、本願の出願前に日本国内に頒布された刊行物である実願平４−２５８５３号出願（実開平５−７６４３６号公報）のＣＤ−ＲＯＭ（以下、「引用刊行物３」という。）には、図面とともに、以下の事項が記載されている。 
シ．「本考案は、生理食塩液等の薬液や洗浄液等を収納するプラスチック容器の改良に関するもので、口部を開口する際に大小の２つの開口部を任意に選択して開口でき、患者の創傷部、器具、カテーテル等の洗浄等に使用されるプラッスチック容器を提供するものである。 」（段落【０００１】）
ス．「本考案は、容器本体２の上端部に口部３を装着したプラスチック容器であって、口部３は大径部４と小径部５とから構成され、大径部４は上端部に鍔部６とこれに肉薄部７を介してツイスト部８が形成され、小径部５は下端部を前記ツイスト部８に接続すると共に上端部に肉薄部９を介してツイスト部を形成したプラスチック容器１を提供するものである。」（段落【０００５】） 
セ．「口部３は、大径部４と小径部５により構成され、大径部４の基端部は容器本体２に溶着されている。大径部４の上端部には鍔部６が形成され、これに肉薄部７を介してツイスト部８が形成されている。                  　ツイスト部８の上端に前記小径部５が接続され、小径部５の上端には肉薄部９を介してツイスト部１０が形成されている。ツイスト部８、１０は翼状に形成され、ツイスト部８の翼状の面積はツイスト部１０の翼状の面積よりも大きく形成され、ツイスト部８はツイスト部１０よりも捩切りやすいようになっている。すなわち、ツイスト部１０を捩切っても、図２に示すように肉薄部９が破断して小開口部１１が開口されるのみで肉薄部７は破断されない。」（段落【０００８】〜【０００９】）
　 
４．対比・判断 
　本願発明と引用発明を対比すると、その機能及び構成からみて、引用発明の「輸液セット」は、本願発明の「点滴セット」に相当し、以下同様に、「合成樹脂からなる輸液容器」は、「プラスチックボトル」に、「輸液導出部」は、「開口部」に、「外周面に雄ねじが設けられた輸液導出部を有する」は、「端部外周に突条部が設けられた円筒形状のロックアダプターからなる開口部を有する」に、「輸液導管部及び第一の輸液導管」は、「点滴用連結管」に、「円筒部」は、「連通パイプ」に、「輸液導管部」は、「接続部」に、「第一の輸液導管」は、「チューブ」に、「キャップ」は、「カプラ」に、「雌めじ」は、「雌ネジ」に、「合成樹脂からなる輸液容器の輸液導出部の雄ねじと当該キャップの雌ねじとが螺合した」は、「プラスチックボトル開口部の突条部と当該カプラの雌ネジとが螺合し」に、それぞれ相当する。 
  また、引用発明の「外面が輸液導出部の内面に離間して挿入されるように形成された円筒部を有し輸液導管部が第一の輸液導管に接続された」と、本願発明の「外面が前記ロックアダプターの内面に嵌合されるように形成された連通パイプ」に「接続部がチューブの一端に設けられた」とは、「外面が前記ロックアダプターの内面に挿入されるように形成された連通パイプ」に「接続部がチューブの一端に設けられた」という概念で共通する。
　
　そうすると、両者は、
「端部外周に突条部が設けられた円筒形状のロックアダプターからなる開口部を有するプラスチックボトルと、
外面が前記ロックアダプターの内面に挿入されるように形成された連通パイプに接続部がチューブの一端に設けられた点滴用連結管
とからなる点滴セットであって、
前記点滴用連結管が、当該点滴用連結管を挿通するカプラを備え、
当該カプラの内面に雌ネジが刻設され、
前記プラスチックボトル開口部の突条部と当該カプラの雌ネジとが螺合した点滴セット。」の点で一致しており、以下の点で相違している。 
　
（相違点１） 
　前者は、プラスチックボトルの開口部の内面がルアーテーパー状に形成されているのに対し、後者は、そのような構成を有さない点。
（相違点２） 
　前者は、プラスチックボトルがツイフトオフ式の閉塞構造を備えているのに対し、後者は、そのような構成を有さない点。
（相違点３） 
　前者は、点滴用連通管の接続部に雌ネジが形成された回動自在のキャップが被着されているのに対し、後者は、そのような構成を有さない点。
（相違点４） 
　前者は、連結管の外周面に突出部が形成され、当該カプラの一端が該突出部に係止されてなるのに対し、後者は、そのような構成を有さない点。
（相違点５） 
　前者は、連通パイプの外面が前記ロックアダプターの内面に嵌合されるように形成されているのに対し、後者は、円筒部（連通パイプ)の外面が輸液導出部の内面に離間して挿入されるように形成されている点。
　
　上記相違点について検討する。 
（相違点１について） 
　引用刊行物２には、内面にめすテーパ部を備えためす接合部とおすテーパ部を備えたおす接合部とからなるものが記載されている。そして「めすテーパ部を備えた」は本願発明の「ルアーテーパー状に形成されている」に相当するから、引用刊行物２に記載された発明を引用発明に適用して上記相違点１に係る本願発明の発明特定事項のようにすることは当業者が容易に想到し得たことである。
（相違点２について）
　引用刊行物３には、プラスチック容器がツイフトオフ式の閉塞構造を備えた点が記載されている。そして引用刊行物３に記載された発明を引用発明に適用して上記相違点２に係る本願発明の発明特定事項のようにすることは当業者が容易に想到し得たことである。
（相違点３について） 
　接続具に保護のためにキャップを設けることは、医療器具の分野において従来周知の技術にすぎない（例えば特開平３−１２１７１号公報、特開昭６２−１８６８７１号公報参照）。そして、ネジは固着手段として一般的な手段であるから、上記周知技術を引用発明に適用して上記相違点３に係る本願発明の発明特定事項のようにすることは当業者が容易に想到し得たことである。
（相違点４について）
　連結管の外周面に突出部が形成され、カプラの一端が該突出部に係止される点は、医療器具の分野において従来周知の技術にすぎない（例えば特開昭４７−４０８８８号公報、実願昭６１−８６０５５号（実開昭６２−１９７３４７号）のマイクロフィルム参照）。そして上記周知技術を引用発明に適用して上記相違点４に係る本願発明の発明特定事項のようにすることは当業者が容易に想到し得たことである。
（相違点５について）
　パイプ等の筒状体同士の挿入による接続に際して、一方の外面が他方の内面に接して嵌合されるように形成するか、あるいは一方の外面が他方の内面に離間して挿入されるように形成するかは、要求される液密の程度等を考慮して当業者が適宜なし得る事項にすぎない。
　
　そして、本願発明による効果も、引用発明、引用刊行物２、３に記載された発明及び周知技術から当業者が予測し得た程度のものであって、格別のものとはいえない。  
　 
５．むすび 
　以上のとおり、本願発明は、引用発明、引用刊行物２、３に記載された発明及び周知技術に基いて、当業者が容易に発明をすることができたものであるから、特許法第２９条第２項の規定により特許を受けることができない。 
　よって、結論のとおり審決する。